(57)【要約】【課題】    従来の靴下装着補助具は、靴下を履く時、足を高く上げたり、操作が煩雑で、動作が不自由な障害者等には使用上の問題があるため、介助者を頼ることなく、自力で靴下を安全に、迅速に、容易に履くことができる靴下装着補助具の提供を目的とする。   【解決手段】  本発明の靴下装着補助具は、基台と、基台に連接された軸を中心に足挿入ガイドが前後方向に開閉可動に形成され、さらに該足挿入ガイドの手前側に設置された軸に、回転自在の把手がある引き寄せ具が形成されている。この補助具の基台および足挿入ガイドに、あらかじめ靴下をかぶせた後、これを足元に置き、爪先を該足挿入ガイドに挿入し、さらに基台の中へ足を滑らせ挿入しながら、引き寄せ具の把手を持ち、該把手を引き寄せ、基台と足挿入ガイドを靴下より引抜き、靴下を容易に履くことができる靴下装着補助具及びその方法。【選択図】  図１
2008132315.tif 000002
【特許請求の範囲】
【請求項１】
身体障害者、高齢者など身体動作が不自由な人達が、自力で履くことができる靴下装着補助具において、基台１には、先端が開放された足裏の大きさ程度の開口部がある底板１ａと、該底板の両側に、中央部上方が開放された側板１ｂがほぼ垂直に一体に形成され、
さらに前記基台１の手前側には、足挿入ガイド２を前後方向に開閉可動するための連接軸１ｃが形成され、前記足挿入ガイド２は、滑り板２ａと該滑り板の両側に、中央部上方が開放された側ガイド板２ｂがほぼ垂直に一体に形成され、また前記足挿入ガイド２の手前両側には、操作レバー３ａの延伸部先端に把手３ｃのある引き寄せ具３が形成され、該引き寄せ具が回転自在に可動するための操作レバー軸３ｂが設けられていることを特徴とする靴下装着補助具。
【請求項２】
前記の靴下装着補助具を用いての靴下の装着方法は、該靴下装着補助具の基台および足挿入ガイドに、あらかじめ靴下をかぶせた後、これを足元に置き、爪先を該足挿入ガイド内に挿入し、さらに基台の中へ足を滑らせ挿入しながら引き寄せ具の把手を持ち、該把手を引き寄せ、基台と足挿入ガイドを靴下より引き抜くことにより、靴下を足に装着することを特徴とする靴下装着方法。
【発明の詳細な説明】
【技術分野】
【０００１】
本発明は、身体障害者（特に人工置換股関節などの下肢障害者）、高齢者、強度の腰痛のある人など身体動作に不自由な人達が、介助者なしに自力で靴下を容易に履く事ができ
るようにするための靴下装着補助具に関する。
【背景技術】
【０００２】
従来から身体障害者など、身体動作に不自由な人達の靴下着脱は介助者が行うか、または市販の靴下装着補助具などが使用されている。（商品名ソックスエイド等）なお、本願発明に関する公知技術として次の特許文献１〜３および非特許文献１の物件がある。
【０００３】
【特許文献１】登録実用新案第３０５７５８３号公報
【特許文献２】登録実用新案第３１１６６３０号公報
【特許文献３】特開２００３−２２７００７号公報
【非特許文献１】日本医事新報社発行「変形性股関節症の運動生活ガイド」「ｐ３９    ・・・２００４」商品名はソックスエイド
【０００４】
上記特許文献１では、靴下類の着用補助具において、基台と基台上の任意箇所に任意の角度に回動自在に取付けられた支柱と、前記支柱の上端部に取付けられ、靴下の上部周りが装着される環体部とを備え、前記環体部の軸心方向に下肢の端部を挿入可能にするとともに、前記環体部の半径方向に下肢の端部が連通可能とすべく一部を開口したことを特徴とする靴下類の着用補助具が記載されている。
【０００５】
さらに特許文献２では、靴下類の装着補助具は、本体、スベリ台、及び固定部材を有する。本体は、基台、爪台、長い櫂、短い櫂、及び踵落し開口部を有する。爪台は底部の固定具と一対に、組合せて用いるもので、靴下のゴム口を受け、固定する当たり留め縁を有する。長い櫂は、靴下のゴム口を引掛け確保する。短い櫂は、靴下のゴム口に挿入され、必要巾を確保し筒状にする。踵落し開口部は、靴下を履く動作を容易且つ速やかにする。以下のスベリ台を有する。たて断面がＳ字形を有するスベリ台横断面が凹形を有するスベリ台全長は所定距離を有し、握り手を有するスベリ台以下の固定部材を有する靴下類の装着補助具が記載されている。
【０００６】
また特許文献３では、靴下の装着補助具は、下側に膨れるように湾曲した足案内板と、前記足案内板の先端側の両側部に設けられ且つ外側に膨れるように湾曲した左右の靴下引上板とを具備する補助具本体と、前記補助具本体を手前に引き寄せるためのひもとから構成されており、前記補助具本体のうち少なくとも靴下引上板が弾性体で形成してあり、少なくとも靴下引上板及びこれらが設けられた足案内板の先端部分を靴下内に挿入するようにして使用されることを特徴とする靴下の装着補助具が記載されている。
【０００７】
さらに非特許文献１では、プラスチック板を筒状にした本体に靴下をかぶせ、この筒状の中へ足の爪先を入れながら、筒状の両脇についたひもを引く事により、靴下を足に装着する市販の靴下装着補助具が記載されている。
【発明の開示】
【発明が解決しようとする課題】
【０００８】
以上に述べた従来の靴下装着補助具の特許文献１では、靴下の装着作業時、高い環体にある靴下の口元まで足を高く持ち上げなければならず、また特許文献２では、足の後ろの握り棒を何回も上げ下げしながらの靴下の装着作業は、身体不自由者には動作が煩雑で、時間が掛かる。また特許文献３及び市販されている商品の非特許文献１では、ひものついた本体を足の前に置き、このひもを両手で持ち、爪先を筒状の本体に挿入する作業は、本体が固定されてないので動き易く爪先の挿入が難しい。このように従来の靴下装着補助具は、身体不自由者には使用上の問題点が多い。そこで本発明は、上記に述べた従来の靴下装着補助具の問題点を解消したもので、爪先を靴下装着補助具に挿入の時、足をあまり高く上げる必要がなく、また靴下装着補助具が丈夫で、両手で操作するので動き難く、爪先の挿入が簡単にできて、きわめて安全で迅速に、靴下が容易に装着できる靴下装着補助具を提供することを目的とする。
【課題を解決するための手段】
【０００９】
本発明は上記課題を解決するために、その発明１は、身体障害者、高齢者など身体動作に不自由な人達が、自力で履くことができる靴下装着補助具において、基台１には、先端が開放された足裏の大きさ程度の開口部がある底板１ａと、該底板の両側に、中央部上方が開放された側板１ｂがほぼ垂直に一体に形成され、さらに前記基台１の手前側には、足挿入ガイド２を前後方向に開閉可動するための連接軸１ｃが形成され、前記足挿入ガイド２は、滑り板２ａと該滑り板の両側に、中央部上方が開放された側ガイド板２ｂがほぼ垂直に一体に形成され、また前記足挿入ガイド２の手前両側には、操作レバー３ａの延伸部先端に把手３ｃのある引き寄せ具３が形成され、該引き寄せ具が回転自在に可動するための操作レバー軸３ｂが設けられていることを特徴とする靴下装着補助具。さらにその発明２は、前記の靴下装着補助具を用いての靴下の装着方法は、該靴下装着補助具の基台および足挿入ガイドに、あらかじめ靴下をかぶせた後、これを足元に置き、爪先を該足挿入ガイド内に挿入し、さらに基台の中へ足を滑らせ挿入しながら、引き寄せ具の把手を持ち、該把手を引き寄せ、基台と足挿入ガイドを靴下より引き抜くことにより、靴下を足に装着することを特徴とする靴下装着方法。
【発明の効果】
【００１０】
本発明は、上記構成から成るので以下に示す効果が期待できる。（１）身体障害者など動作に不自由な人達が、靴下を自力で履く時、足をわずかの高さに上げるだけで靴下の装着が可能であり、無理な身体動作がないので、安全に、しかも容易に靴下の装着ができる。（２）あらかじめ靴下をこの装置にかぶせた後、これを足元に置き、該装置に軸着した引き寄せ具の把手を、両手で引き寄せるだけの簡単な操作で靴下の装着ができる。（３）足挿入時、硬質樹脂などで製作された丈夫な引き寄せ具の把手を、両手で掴んで操作するので装置が動きにくく、また装置にかぶせた靴下がトンネル状に形成されるので、足挿入が極めて簡単にでき、無理な身体動作もなく、迅速に靴下の装着ができる。
【発明を実施するための最良の形態】
【００１１】
以下、本発明の実施の形態を図面に基づいて説明する。
【００１２】
図１ないし図２に示すように、靴下装着補助具は、基台１、足挿入ガイド２、引き寄せ具３のブロックで構成し、足挿入ガイド２は基台1に設けられた連接軸１ｃで連結され、該連接軸を中心に前後方向に開閉可動に形成し、また引き寄せ具３は、足挿入ガイド２の手前側に設けられた操作レバー軸３ｂを中心に回転可動に取付けられ、該引き寄せ具３の  延伸部には把手３ｃが一体に形成され、両手操作のために左右一対が設けられている。
【００１３】
さらに図２ａに示すように、基台１は、先端が開放された足裏の大きさ程度の底板開口部１ｅのある底板１ａと、該底板１ａの両側に、図２ｄのように側板１ｂがほぼ垂直に一体に形成され、また上方は開放されており、これは靴下装着補助具を靴下から引抜く時に、この装置が足に引っ掛からなくするためである。さらに底板開口部１ｅは、足を基台１の中へ挿入した時、足裏全体が靴下へ滑り落ちて、靴下装着補助具を靴下から引抜くことを容易にしてある。
【００１４】
図２ｂないし図２ｃに示すように、足挿入ガイド２は、滑り板２ａと図２ｅのように側ガイド板２ｂが一体に形成され、また上方は開放されており、これは装置を引抜く時に、この装置が足に引っ掛からなくするためである。また足挿入ガイド２の手前寄りの両側下には、引き寄せ具３を回転可動させる操作レバー軸３ｂが設けられている。該操作レバー軸３ｂを足挿入ガイド２の下側に設けたのは、靴下装着補助具を靴下から引抜く時、基台１、足挿入ガイド２が、操作レバー軸３ｂを中心に前方下向きに回転するので、基台１と足挿入ガイド２が引き寄せ具３とほぼ一直線になり、靴下装着補助具を靴下から引抜く事を容易にしてある。
【００１５】
さらに図２ｃに示すように、基台１と足挿入ガイド２を連接し、さらに引き寄せ具３を前後に開閉するために足挿入ガイド２に軸着したのは、靴下を装着時、足を挿入する高さを低くするためと、靴下装着補助具を靴下から引抜くことを容易にするためである。
【００１６】
また図２ｃに示すように、引き寄せ具３の把手３ｃは、動作の不自由な人が、確実に掴んで操作ができ、また靴下装着補助具を床に落とさないように、指が把手３ｃの中に入るような形状が好ましい。
【００１７】
図２ａに示すように、基台１の連接軸１ｃの外側には、足挿入ガイド２の連接軸受２ｃが設けられ、段付きピンやスプリングピン等の軸により足挿入ガイド２が、開閉可動するように形成されている。この基台１の底板１ａ、側板１ｂを連接軸受２ｃの内側にしたのは、基台１の底板１ａの底板開口部１ｅが大きいので、強度向上を図るため底板１ａ、側板１ｂを一体に形成してある。
【００１８】
次に図２ａ、図２ｂ、図２ｃ、図２ｆ、図２ｇに示すように、側板１ｂと側ガイド板２ｂの重なり合う部分は、この両部材を相欠することにより、重ね合わせた場合の側板１ｂと側ガイド板２ｂの合計厚みを薄くでき、靴下装着補助具の全体巾を小さくすることが出来る。これは靴下を基台１、足挿入ガイド２にかぶせた時に、靴下から基台１と足挿入ガイド２の内部方向に大きな締付け力が発生するので、基台１と足挿入ガイド２を破損する恐れがあり、締付け力を小さくするために、靴下をできるだけ広げない（靴下周囲長さを短く）ように工夫し、また側板１ｂと側ガイド板２ｂの重なり合う部分は、相欠することにより段差がなくなるので、靴下の装着時に、靴下がこの側板１ｂと側ガイド板２ｂに引っ掛からずにスムーズに履けるようにしてある。ただし、高強度樹脂（エンジニアリング・プラスチック）や金属製などの場合、板材を薄く出来るので、両部材を相欠する必要がない場合がある。
【００１９】
さらに図２ｂ、図２ｆ、図２ｇに示すように、側板１ｂの連接側の上部両外側には案内軸１ｄが設けられ、該案内軸１ｄの動きに合わせ、側ガイド板２ｂが開閉できるように、側ガイド板２ｂに連接軸１ｃを中心にして、円弧状の案内ミゾ２ｆが設けられている。これは靴下を基台１と足挿入ガイド２にかぶせる時、靴下の内部方向への大きな締付け力で、側板１ｂと側ガイド板２ｂが内側に曲がり、破損しないように重ね合わせ、この締付け力を、側板１ｂと側ガイド板２ｂの両部材で、受持つように強度を向上させた構造にしてある。
【００２０】
また図２ｃに示すように、足挿入ガイド２の側ガイド板２ｂには、靴下を基台１、足挿入ガイド２にかぶせた時、図４ｄの靴下のかかと４ｂから靴下の口元４ａまでの長さが、足挿入ガイド２より長い場合、側ガイド板２ｂの上下の靴下引掛け部２ｄ部までの間で、靴下をたるませるなどの調整が出来るようにしてある。
【００２１】
さらに図２ｃに示すように、引き寄せ具３は、操作レバー３ａ、操作レバー軸３ｂ、把手３cの左右一対の部材で構成されており、該引き寄せ具３は、両手で引き寄せ操作の時、操作レバー３ａ及び把手３ｃが足に当たらないように、図２ａのごとく外側に屈曲させた形状にしてある。
【００２２】
次に図２ｄの側板１ｂ、及び図２ｅの側ガイド板２ｂは、この図のような角張った形状でなく、側面を湾曲に膨らまし、全体に丸みを持たせた形状の方が靴下をかぶせ易く、又靴下装着補助具を靴下から引抜き易いので好ましい。
【００２３】
次に図３ａ、図３ｂ、図３ｃは、靴下をかぶせる基台１と足挿入ガイド２に足を挿入後、該足挿入ガイド２を引き寄せ具３で、前方基台１の連接軸を中心に前方回転させ、ほぼ垂直に起こした状態を示し、この後、靴下装着補助具を靴下より引抜く作業に入る。
【００２４】
次に図４ａ、図４ｂ、図４ｃは、いずれも靴下をかぶせた靴下装着補助具の各操作状態を示す。図４ａは、引き寄せ具３を持ち、基台１、足挿入ガイド２の引掛け部２ｄの位置まで靴下をかぶせた状態、図４ｂは、足元に靴下装着補助具を置いて足を挿入する状態、図４ｃは、足を足挿入ガイド２から基台１に挿入完了し、引き寄せ具３で前方に倒した状態を示す。
【００２５】
図４ｂに示すように、足挿入ガイド２を手前に倒した時、滑り板２ａ上面高さが床面から低いので、足挿入ガイド２の中へ足を挿入する時、足を高く上げる必要がない。
【００２６】
図４ｃは、かかと５ａが基台１の底板開口部１ｅにすべり落ちるまで、靴下の爪先４ｃを足の爪先５ｂで押しながら足を挿入した後、引き寄せ具３で足挿入ガイド２を前方に起こした状態を示す。
【００２７】
次に図４ｄは靴下装着補助具に使用する靴下４で、靴下の口元４ａが柔らかくて、素材の伸びが大きく、ゆったりしたデザインのものが適しており、靴下の内部方向への締付け力の小さいものが、かぶせ易く、足への装着が容易で適している。最近では福祉用品として、前記のような品質の靴下が多く市販されており容易に入手できる。「商品名・・ゆるゆるソックスなど」
【００２８】
なお、靴下装着補助具は、足の大きさにより、Ｌ、Ｍ、Ｓなどのサイズが簡単に製作することが可能な構造にしており、これは基台１、足挿入ガイド２の横巾寸法を変化させた部材を製作することで対応出来るようにしてある。
【００２９】
靴下装着補助具の構成部材は、身体に安全で、軽くて、強度があり、耐候性、耐衝撃性などに優れた硬質プラスチック（ＡＢＳ樹脂、ＰＰ樹脂、ナイロン樹脂など）で成型されたものが適しており、また軽合金材料なども基台１や足挿入ガイド２などの板厚を薄くでき、また全体をコンパクトに製品化出来るので適している。
【００３０】
さらに発明２について説明する。図５ａ〜図５ｄは、靴下装着作業の手順で、図５ａに示すように、側板１ｂの先端を上方にして、引き寄せ具３の操作レバー３ａを手でつかむ。この状態で、靴下の口元４ａを広げ、側板１ｂの先端から靴下に挿入させ、靴下の爪先４ｃを側板１ｂ先端までかぶせた後、靴下のかかと４ｂを連接軸１ｃ下の位置まで引き寄せ、足挿入ガイド２の手前側上下の靴下引掛け部２ｄの位置まで、靴下の口元４ａを引っ張り、基台１と足挿入ガイド２に靴下をかぶせる。
【００３１】
次に図５ｂに示すように、椅子などに座った状態で、靴下を基台１と足挿入ガイド２にかぶせ装着した靴下装着補助具を、足元の床面に置き、把手３ｃを両手で掴んだ状態で、
足挿入ガイド２に装着したトンネル形状の靴下の中へ爪先５ｂを挿入し、足を滑り板２ａの上を基台１の先端方向に滑らせ、足のかかと５ａが底板開口部１ｅに滑り落ちるまで、爪先５ｂで靴下の爪先４ｃを押しながら、把手３ｃで引き寄せて挿入が完了する
【００３２】
次に図５ｃに示すように、靴下をかぶせて装着した靴下装着補助具の中に、足を挿入完了後、引き寄せ具３の把手３ｃを両手で持ち、基台１の連接軸１ｃを中心に足挿入ガイド２を、前方に回転させて倒し、引き寄せ具３をほぼ垂直にする。
【００３３】
次に図５ｄに示すように、引き寄せ具３の把手３ｃを両手で上に引き上げると、足挿入ガイド２と基台１は、靴下から極めて容易に引き抜くことができて、靴下は足に装着され、靴下の装着作業が完了する。
【００３４】
次は本発明の靴下装着補助具を基本にして、以下に示す機能を付加したものである。図６ａ〜図６ｉは、本発明の靴下装着補助具に、靴下を脱がす機能を付加したもので、従来の靴下装着補助具には、この機能を付加した商品、技術は見当たらない。靴下を脱がす作業は、介助者に協力してもらうか、または自身で棒などの用具か、又は市販されている汎用性のある用具などを使用している。その一つとして、「リッチャー」があり、これは日本医事新報社発行「変形性股関節症の運動生活ガイド」「ｐ３８  ２００４」に掲載されているが、この「リッチャー」は１本又は２本の操作で行うので、靴下を脱がす作業は、操作し難く時間も掛かり簡単ではない。そこで本発明の靴下装着補助具に、該付加機能を用いた装置を使用すれば、簡単に靴下を脱がす事ができる。又本発明の靴下装着補助具には、靴下の引上げが不十分な場合、靴下を再引上げする微調整機能も付加して装備している。
【００３５】
図６ａ、図６ｂ、６ｃは、この靴下脱着機能についての構造を示し、把手３ｃの内側に脱着ツメ３ｄが形成されており、該脱着ツメ３ｄは、靴下を脱がす時及び靴下の再引上げ微調整時の両機能を一体に備えているが個別に形成しても良い。
【００３６】
図６ｃは、靴下の脱着作業時の脱着ツメ３ｄの構造詳細を示し、該脱着ツメ３ｄは把手３ｃと一体成型か、または別部品を小ネジなどで把手３ｃに取付けても良い。
【００３７】
図６ａ、図６ｂは、靴下脱着作業時の機器状態を示し、足挿入ガイド２に軸着された引き寄せ具３を、前方に回転させ、図６ｄに示すように引き寄せ具３の操作レバー３ａに設けられた磁石３ｅで、基台１の側板１ｂ先端に設けられた鉄などの強磁性体３ｆに吸着固定する。この固定方法は、どちらが磁石でも良いが、両方とも磁石同士（S・N）でも良い。又吸着部形状が凹凸である方が位置決めが容易で、ワンタッチで固定操作ができる。このような凹凸形状の吸着部品は、かばんなどの開閉箇所の固定に図６ｅに示すようなマグネットボタン（商品名）３ｅなどが使用されている。又この固定方法の他に図６ｆに示すように、ノブ３ｆによるネジ締め方法や掛け金による固定方法、面ファスナーによる固定方法、プッシュ錠などの固定方法でも良く、いずれも実施可能である。
【００３８】
次に図６ｇは、靴下を脱がす作業状態を示し、操作レバー３ａが固定された機器の基台１および足挿入ガイド２側の手前を両手で持ち、靴下の口元４ａと足の隙間に、把手３ｃの両方に取付けられた脱着ツメ３ｄを差し込み、機器を下方に押し下げることにより、靴下が押し下げられて、靴下を簡単に脱がす事ができる。
【００３９】
図６ｈは、靴下の再引上げ微調整の作業状態を示し、前記靴下を脱がす作業とほぼ同様の要領であるが、靴下の口元４ａのたるんだ所に、把手３ｃの手前方向の脱着ツメ３ｄを押し当て引掛けて、機器を持ち引上げ調整しながら、所定の位置まで該脱着ツメの両方で靴下を引っ張り上げる。
【００４０】
図６ｉは、靴下脱着作業の状態を示し、椅子などに座った状態で、前記靴下装着補助具を持ち、把手３ｃの脱着ツメ３ｄを靴下の口元４ａに向け操作する。またこの脱着作業では、靴下装着補助具を両手で掴んで持ち易いように、図６ｂに示すごとく、引き寄せ具３の操作レバー３ａの所定の箇所にリング状の掴み部３ｉを形成している。なお、脱着作業において靴下装着補助具の上下方向はどちらでも良いが、脱着ツメは把手３ｃの下側に取付けた方が操作し易い。
【００４１】
次に図７ａ〜図７ｃは、他の実施例について示している。本発明の靴下装着補助具を基に簡易型としたもので、携帯用としても用いる事が可能で、また軽度の障害者には、この装置の操作は難しくないので十分使用が可能である。
【００４２】
図７ａは、基台１、足挿入ガイド２を前記本発明の装置のまま使用し、引き寄せ具３の操作レバー３ａと把手３ｃを引きひも３ｆにした場合である。このひきひも３ｆにすると、小さく納められるので携帯用として用いる事が可能で、また図７ｃのように操作レバー３ａ部を引きひもにして、把手３ｃ部分を樹脂成型把手３ｇにした場合も、前記の引きひも式と同様な機能がある。又この引きひも３ｆをベルトにしても良い。
【００４３】
図７ｅは、基台１、足挿入ガイド２を前記の本発明の形状のまま使用し、引き寄せ具３の操作レバー３ａを伸縮レバー３ｈにした場合である。この伸縮レバー３ｈにすると、小さく納められるので携帯用として用いる事が可能で、また軽度の障害者には、この伸縮レバー３ｈの操作は難しくないので十分使用が可能である。
【図面の簡単な説明】
【００４４】
【図１】本発明の実施形態を示す靴下装着補助具の外観斜視図
【図２】a  同靴下装着補助具の足挿入ガイドを最大に開いた状態を上方か                        ら見た外観図                      ｂ  同靴下装着補助具の側面から見た外観図                    ｃ  同靴下装着補助具の図２ａにおけるＡ−Ａ線断面図                  ｄ  同靴下装着補助具の図２ａにおけるＢ−Ｂ線断面図                    ｅ  同靴下装着補助具の図２ａにおけるＣ−Ｃ線断面図                    ｆ  同靴下装着補助具の図２ｂにおけるＤ−Ｄ線断面図                    ｇ  同靴下装着補助具の図２ｂにおけるＥ−Ｅ線断面図
【図３】ａ  同靴下装着補助具の足挿入ガイドを前方に起こした状態を上方か                      ら見た外観図                  ｂ  同靴下装着補助具の側面から見た外観図                  ｃ  同靴下装着補助具の図３ａにおけるＡ−Ａ線断面図
【図４】ａ  同靴下装着補助具を手に持ち、靴下をかぶせた状態の側断面図                  ｂ  靴下をかぶせた同靴下装着補助具を足元に置き、足を挿入する状                      態の側中央断面図                  ｃ  靴下をかぶせた同靴下装着補助具に足を挿入し、足挿入ガイドを                      前方に回転させ、ほぼ垂直に起こした状態の側中央断面図                  ｄ  同靴下装着補助具に使用する靴下を側面から見た外観図                  ｅ  足の側面から見た外観図
【図５】ａ  同靴下装着補助具を手に持ち、靴下をかぶせた状態の外観図                  ｂ  靴下をかぶせた同靴下装着補助具を足元に置き、足を挿入する状                      態の外観図                  ｃ  靴下をかぶせた同靴下装着補助具に足を挿入し、足挿入ガイドを                      前方に回転させ、ほぼ垂直に起こした状態の外観図                  ｄ  同靴下装着補助具を靴下から引抜く状態の外観図
【図６】ａ  同靴下装着補助具の把手に脱着ツメを取付けた状態を上方から見                      た外観図                  ｂ  同靴下装着補助具の把手に脱着ツメを取付けた状態を側面から見                      た外観図                  ｃ  同靴下装着補助具の把手の脱着ツメ構造詳細図                  ｄ  同靴下装着補助具の側板と操作レバーに磁石を取り付けた状態の                      断面図                  ｅ  同靴下装着補助具の側板と操作レバーを固定する磁石（マグネッ                      トボタン）の部品図                  ｆ  同靴下装着補助具の側板と操作レバーを固定するノブの構造詳細                      図                  ｇ  同靴下装着補助具の脱着ツメでの靴下脱がす作業状態の説明図                  ｈ  同靴下装着補助具の脱着ツメでの靴下再引上げ微調整作業状態の                      説明図                  ｉ  同靴下装着補助具の脱着ツメでの靴下脱着作業状態の外観図
【図７】ａ  同靴下装着補助具の操作レバーを引きひも式にした場合の外観図                  ｂ  同靴下装着補助具の図７ａにおけるＡ−Ａ線外観図                  ｃ  同靴下装着補助具の操作レバーを引きひもにして、把手を樹脂成                      型にした場合の外観図                  ｄ  同靴下装着補助具の図７ｃにおけるＢ−Ｂ線外観図                  ｅ  同靴下装着補助具の操作レバーを伸縮式にした場合の外観図                  ｆ  同靴下装着補助具の図７ｅにおけるＣ−Ｃ線外観図
【符号の説明】
【００４５】
１      基台
１ａ    底板
１ｂ    側板
１ｃ    連接軸
１ｅ    底板開口部
２      足挿入ガイド
２ａ    滑り板
２ｂ    側ガイド板
２ｄ    靴下引掛け部
３      引き寄せ具
３ａ    操作レバー
３ｂ    操作レバー軸
３ｃ    把手
【図１】
2008132315.tif 000003
【図２】
2008132315.tif 000004
【図３】
2008132315.tif 000005
【図４】
2008132315.tif 000006
【図５】
2008132315.tif 000007
【図６】
2008132315.tif 000008
【図７】
2008132315.tif 000009